(57)【要約】【課題】従来より多くの機能を制御することができるワイヤレスリモートコントローラを提供する。【解決手段】子機アンテナ部２と、圧電基板４上の一対の櫛形電極５ａ、５ｂが子機アンテナ部に接続された表面弾性波デバイス６と、スイッチ部７とを備え、スイッチ部が、行配線８ａ、８ｂ、８ｃ及び列配線９ａ、９ｂ、９ｃと、任意の行配線と列配線とを接続可能な個別スイッチとを備え、一対の櫛形電極５ａ、５ｂが、ＩＤＴグループＡとＩＤＴグループＢを有し、ＩＤＴグループＡが、バスバー１０ａに接続された第１バスバー側櫛歯１３と、行配線に接続された行配線側櫛歯１４とから構成され、ＩＤＴグループＢが、バスバー１０ｂに接続された第２バスバー側櫛歯１５と、列配線に接続された列配線側櫛歯１６とから構成され、前記個別スイッチにより任意の行配線側櫛歯と列配線側櫛歯とが接続可能である。【選択図】      図１
2004328056.tif 000002
【特許請求の範囲】
【請求項１】
電波を送受信するためのアンテナ部と、圧電基板上に互いに対向配置された一対の櫛形電極が前記アンテナ部に接続された表面弾性波デバイスと、該表面弾性波デバイスに接続されたスイッチ部とを備え、
該スイッチ部が、行列状に配された複数の行配線及び列配線と、任意の前記行配線と前記列配線とを接続可能な複数の個別スイッチとを備え、
前記一対の櫛形電極が、一対のバスバーに接続された少なくとも一対の主櫛歯部と、これら主櫛歯部に対して異なる距離に配された複数の第１の櫛歯群及び第２の櫛歯群とを備え、
前記第１の櫛歯群が、前記バスバーの一方に接続された複数の第１バスバー側櫛歯と、対応する前記行配線にそれぞれ接続された複数の行配線側櫛歯とから構成され、
前記第２の櫛歯群が、前記バスバーの他方に接続された複数の第２バスバー側櫛歯と、対応する前記列配線にそれぞれ接続された複数の列配線側櫛歯とから構成され、
前記個別スイッチにより任意の前記行配線側櫛歯と前記列配線側櫛歯とが接続可能であることを特徴とするワイヤレスリモートコントローラ。
【請求項２】
請求項１に記載のワイヤレスリモートコントローラにおいて、
前記櫛歯部が、前記第１の櫛歯群と前記第２の櫛歯群との間に前記バスバーに接続された標識櫛歯群を備えていることを特徴とするワイヤレスリモートコントローラ。
【請求項３】
請求項１または２に記載のワイヤレスリモートコントローラにおいて、
前記アンテナ部と前記バスバーとが、インピーダンスマッチングを行う整合回路を介して接続されていることを特徴とするワイヤレスリモートコントローラ。
【請求項４】
請求項１から３のいずれかの１項に記載のワイヤレスリモートコントローラと、
該ワイヤレスリモートコントローラに対して電波によりバースト信号を発信可能であると共にワイヤレスリモートコントローラからの応答信号を受信可能な親機とを備えていることを特徴とするワイヤレスリモートコントロールシステム。
【発明の詳細な説明】
【０００１】
【発明の属する技術分野】
本発明は、表面弾性波デバイスを用いたワイヤレスリモートコントローラ及び該ワイヤレスリモートコントローラを備えたワイヤレスリモートコントロールシステムに関する。
【０００２】
【従来の技術】
家庭用電化製品にはリモートコントローラが欠かせないものであり、また、ゲーム機等の有線リモートコントローラが主流であった製品にもワイヤレスリモートコントローラが応用されつつある。さらに、パーソナルコンピュータのキーボードもワイヤレスでアクセスする需要があるが、このようなリモートコントローラの主流は赤外線ＬＥＤを使用し、電池により動作するため、頻繁に操作するものは電池の消耗が早くなってしまう。そのため、市場全体では膨大な数の電池を使用し、乾電池などの電池の生産、廃棄、リサイクルや環境に大きな負荷がかかる。そこで、電池を使用しないリモートコントローラが望まれている。
【０００３】
近年その一環の技術として、例えば下記特許文献１に記載されているように、表面弾性波（以下、ＳＡＷと略称する：Ｓｕｒｆａｃｅ  ａｃｏｕｓｔｉｃ  ｗａｖｅ）デバイスを用い、ワイヤレスでスイッチの状態を感知する無給電のワイヤレスリモートコントロールシステムが提案されている。
【０００４】
【特許文献１】
米国特許第６，１４４，２８８号明細書
【０００５】
【発明が解決しようとする課題】
しかしながら、上記従来技術には以下の課題が残されていた。すなわち、上記従来技術は自動車のハンドルにおけるスイッチの状態を感知するために開発されたものであるため、感知できるスイッチの数が少なく、家電製品とゲーム機のリモコン、パーソナルコンピュータのキーボードのような多数の機能を制御することが困難であった。さらに、ＳＡＷデバイスの構造上櫛歯電極（以下、ＩＤＴと略称する：Ｉｎｔｅｒ  ｄｉｇｉｔａｌ  ｔｒａｎｓｄｕｃｅｒ）の数が増えるに従って、ＳＡＷは減衰する。上記従来技術では１個の励振電極であるＩＤＴに対して１個の個別スイッチが接続されているため、個別スイッチの数に限界がある。
【０００６】
本発明は、以上のような従来技術の問題点を解決しようとするもので、多数の個別スイッチの状態を感知することができ、したがって多数の機能を制御することができるワイヤレスリモートコントローラ及び該ワイヤレスリモートコントローラを備えたワイヤレスリモートコントロールシステムを提供することを目的とする。
【０００７】
【課題を解決するための手段】
本発明は上記課題を解決するために、以下の構成を採用した。すなわち、本発明のワイヤレスリモートコントローラは、電波を送受信するためのアンテナ部と、圧電基板上に互いに対向配置された一対の櫛形電極が前記アンテナ部に接続された表面弾性波デバイスと、該表面弾性波デバイスに接続されたスイッチ部とを備え、該スイッチ部が、行列状に配された複数の行配線及び列配線と、任意の前記行配線と前記列配線とを接続可能な複数の個別スイッチとを備え、前記一対の櫛形電極が、一対のバスバーに接続された少なくとも一対の主櫛歯部と、これら主櫛歯部に対して異なる距離に配された複数の第１の櫛歯群及び第２の櫛歯群とを備え、前記第１の櫛歯群が、前記バスバーの一方に接続された複数の第１バスバー側櫛歯と、対応する前記行配線にそれぞれ接続された複数の行配線側櫛歯とから構成され、前記第２の櫛歯群が、前記バスバーの他方に接続された複数の第２バスバー側櫛歯と、対応する前記列配線にそれぞれ接続された複数の列配線側櫛歯とから構成され、前記個別スイッチにより任意の前記行配線側櫛歯と前記列配線側櫛歯とが接続可能であることを特徴とする。
【０００８】
本発明に係るワイヤレスリモートコントローラでは、個別スイッチにより任意の行配列側櫛歯と列配列側櫛歯とが接続可能であるので、電波による信号を前記アンテナ部で受信した際に、任意の個別スイッチを押すことにより、第１の櫛歯群及び第２の櫛歯群のうち選択された行配列側櫛歯と列配列側櫛歯とに対応した時間間隔で２つの応答信号が発信される。すなわち、１つの個別スイッチをオンにした場合、対応した行配列側櫛歯及び列配列側櫛歯と対になる櫛歯電極が第１の櫛歯群と第２の櫛歯群とで１つずつ選択されることになる。そして、電波を受信して主櫛歯部で発生したＳＡＷが、選択された第１の櫛歯群の行配列側櫛歯に到達して第１の応答信号に変換され、更にその後、選択された第２の櫛歯群の列配列側櫛歯にも到達して第２の応答信号に変換される。このとき、第１の応答信号と第２の応答信号とは、選択された行配列側櫛歯及び列配列側櫛歯の位置（主櫛歯部との距離）に応じて異なる時間で発生するため、この２信号の時間組み合わせから押された個別スイッチを識別することができる。したがって、個別スイッチの数と同数の櫛形電極を設けなくても、第１の櫛歯群を行とし、第２の櫛歯群を列とした２つのグループに応じた行列状に配列された個別スイッチの数だけ、異なる識別可能な応答信号を無給電で発信することができる。
よって、例えば前記第１の櫛歯群のＩＤＴの数を１０個、前記第２の櫛歯群のＩＤＴの数を１０個とすると、合計２０個のＩＤＴによって１００個の個別スイッチに接続することが可能になり、感知できる個別スイッチの数を大幅に増やすことができる。
【０００９】
また、本発明に係るワイヤレスリモートコントローラは、前記櫛歯部が、前記第１の櫛歯群と前記第２の櫛歯群との間に前記バスバーに接続された標識櫛歯群を備えていることが好ましい。
すなわち、このワイヤレスリモートコントローラでは、櫛歯部が、第１の櫛歯群と第２の櫛歯群との間にバスバーに接続された標識櫛歯群を備えているので、標識櫛歯群における応答信号を基準にして、選択された第１の櫛歯群及び第２の櫛歯群における２つの応答信号の発生時間をより正確に識別することが可能になる。すなわち、主櫛歯部で発生したＳＡＷが第１の櫛歯群に到達した後であって第２の櫛歯群に到達する前に、必ず一定の時間で標識櫛歯群に到達し、標識応答信号が発生する。したがって、この標識応答信号の前に発生した応答信号は、選択された第１の櫛歯群からのものであり、標識応答信号の後に発生した応答信号は、選択された第２の櫛歯群からのものであることが容易に識別することができる。
【００１０】
また、本発明に係るワイヤレスリモートコントローラは、前記アンテナ部と前記バスバーとが、インピーダンスマッチングを行う整合回路を介して接続されていることが好ましい。
すなわち、このワイヤレスリモートコントローラでは、前記アンテナ部と前記バスバーとがインピーダンスマッチングを行う整合回路を介して接続されているので、前記アンテナ部と前記バスバーとの間で生じる信号の反射などが抑制され、効率的に信号伝達を行うことができる。
【００１１】
本発明に係るワイヤレスリモートコントロールシステムは、上記本発明のワイヤレスリモートコントローラと、該ワイヤレスリモートコントローラに対して電波によりバースト信号を発信可能であると共に該ワイヤレスリモートコントローラからの応答信号を受信可能である親機とを備えていることを特徴とする。
このワイヤレスリモートコントロールシステムでは、上記本発明のワイヤレスリモートコントローラに対して電波によりバースト信号を発信可能であると共にワイヤレスリモートコントローラからの応答信号を受信可能な親機を備えているので、無給電のワイヤレスリモートコントローラで任意に個別スイッチを選択するだけで、選択された個別スイッチを親機側で容易に識別することができる。すなわち、親機側からバースト信号を発信すると共に、ワイヤレスリモートコントローラ側で個別スイッチを任意に選択することにより、当該個別スイッチに対応した時間間隔で発生した２つの応答信号を親機側で受信し、選択された個別スイッチを識別することができる。
【００１２】
【発明の実施の形態】
以下、本発明に係るワイヤレスリモートコントローラ及び該ワイヤレスリモートコントロールシステムの一実施形態を、図１から図４を参照しながら説明する。
【００１３】
本実施形態のワイヤレスリモートコントローラ１は、図１に示すように電波を送受信するための子機アンテナ部２と、インピーダンスマッチングを行う整合回路３と、圧電基板４上に配置された一対の櫛形電極５ａ、５ｂが子機アンテナ部２に接続されたＳＡＷデバイス６と、該ＳＡＷデバイス６に接続されたスイッチ部７とを有している。また、ＳＡＷデバイス６は、例えば、ＬｉＮｂＯ３、水晶（ＬｉＴａＯ３）またはランガサイト（Ｌａ３Ｇａ５ＳｉＯ１４）の圧電基板４を用いたものである。
【００１４】
スイッチ部７は、行列状に配された行配線８ａ、８ｂ、８ｃと、列配線９ａ、９ｂ、９ｃと、これらのうち任意の行配線８ａ、８ｂ、８ｃと列配線９ａ、９ｂ、９ｃとを接続可能な９つのスイッチとを備えている。
すなわち、スイッチ部７は、行配線８ａと列配線９ａとを接続可能なスイッチ（個別スイッチ）Ｓ１１と、同様に行配線８ａと列配線９ｂとを接続可能なスイッチＳ１２と、行配線８ａと列配線９ｃとを接続可能なスイッチＳ１３と、行配線８ｂと列配線９ａとを接続可能なスイッチＳ２１と、行配線８ｂと列配線９ｂとを接続可能なスイッチＳ２２と、行配線８ｂと列配線９ｃとを接続可能なスイッチＳ２３と、行配線８ｃと列配線９ａとを接続可能なスイッチＳ３１と、行配線８ｃと列配線９ｂとを接続可能なスイッチＳ３２と、行配線８ｃと列配線９ｃとを接続可能なスイッチＳ３３とを備えている。
【００１５】
上記一対の櫛形電極５ａ、５ｂは、一対のバスバー１０ａ、１０ｂに接続されたメインＩＤＴ（主櫛歯部）１１と、メインＩＤＴ１１に対して異なる距離に配されたＩＤＴグループＡ（第１の櫛歯群）及びＩＤＴグループＢ（第２の櫛歯群）と、ＩＤＴグループＡとＩＤＴグループＢとの間にバスバー１０ａ及びバスバー１０ｂに接続された標識ＩＤＴ（標識櫛歯群）１２とから構成されている。
また、メインＩＤＴ１１は複数対の櫛歯を有し、バスバー１０ａ、１０ｂの基端部に配設されている。
【００１６】
ＩＤＴグループＡは、バスバー１０ａに接続された第１バスバー側櫛歯１３と、対応する行配線８ａ、８ｂ、８ｃにそれぞれ接続された行配線側櫛歯１４とから構成され、ＩＤＴグループＢは、バスバー１０ｂに接続された第２バスバー側櫛歯１５と、対応する列配線９ａ、９ｂ、９ｃにそれぞれ接続された列配線側櫛歯１６とから構成されている。
【００１７】
第１バスバー側櫛歯１３は、３組の櫛歯電極であるＩＤＴａ１１と、ＩＤＴａ２１と、ＩＤＴａ３１とによって構成されている。また、行配線側櫛歯１４は、３組の櫛歯電極であるＩＤＴａ１２と、ＩＤＴａ２２と、ＩＤＴａ３２とによって構成されている。ＩＤＴａ１２は行配線８ａに接続されていると共に、ＩＤＴａ２２は行配線８ｂに接続され、また、ＩＤＴａ３２が行配線８ｃに接続されている。
また、第２バスバー側櫛歯１５は、３組の櫛歯電極であるＩＤＴｂ１２と、ＩＤＴｂ２２と、ＩＤＴｂ３２とによって構成されている。また、列配線側櫛歯１６は、３組の櫛歯電極であるＩＤＴｂ１１と、ＩＤＴｂ２１と、ＩＤＴｂ３１とによって構成されている。ＩＤＴｂ１１は列配線９ａに接続されていると共に、ＩＤＴｂ２１は列配線９ｂに接続され、また、ＩＤＴｂ３１が列配線９ｃに接続されている。
【００１８】
また、ＩＤＴａ１１とＩＤＴａ１２との櫛歯電極対によってＩＤＴａ１が形成され、ＩＤＴａ２１とＩＤＴａ２２とによってＩＤＴａ２が形成されている。また、ＩＤＴａ３１とＩＤＴａ３２とによってＩＤＴａ３が形成され、ＩＤＴｂ１１とＩＤＴｂ１２とによってＩＤＴｂ１が形成されている。また、ＩＤＴｂ２１とＩＤＴｂ２２とによってＩＤＴｂ２が形成され、ＩＤＴｂ３１とＩＤＴｂ３２とによってＩＤＴｂ３とが形成される。
【００１９】
子機アンテナ部２は、アンテナ２ａ、アンテナ２ｂによって構成されている。アンテナは周波数によってホイップアンテナ或いは小型のものが使用され、例えば４００ＭＨｚ帯の場合、ホイップアンテナの場合の長さは約１８ｃｍであり、ヘリカルアンテナを使う場合で、２〜３ｃｍの長さですむ。
また、整合回路３はキャパシタＣ及びインダクタＬによって構成され、キャパシタＣが、アンテナ２ａと２ｂとの間に接続されていると共に、インダクタＬ１、Ｌ２が、バスバー１０ａとアンテナ２ａとの間と、バスバー１０ｂとアンテナ２ｂとの間に接続されている。
【００２０】
次に、本実施形態のワイヤレスリモートコントローラを用いたワイヤレスリモートコントロールシステムについて、図２を参照しながら説明する。
本実施形態のワイヤレスリモートコントロールシステムは、ワイヤレスリモートコントローラ１に対して電波によりバースト信号を発信可能であると共にワイヤレスリモートコントローラ１からの応答信号を受信可能な親機１７とを備えている。
【００２１】
親機１７は、電波を送受信する親機アンテナ部１８と、親機アンテナ部１８に接続されインピーダンスマッチングを行うための整合回路１９と、整合回路１９に接続され送受信する高周波を切り替え制御するＲＦスイッチ部２０と、ＲＦスイッチ部２０に接続され受信した高周波信号を復調する受信回路２１と、受信回路２１に接続されていると共に家庭用電化製品等の制御される装置本体に接続された演算回路２２と、演算回路２２に接続され演算回路２２からの指示に従って高周波信号（バースト信号）を出力する送信回路２３とによって構成されている。
上記演算回路２２は、送信回路２３に高周波信号の発信を支持すると共に、受信回路２１で受信された応答信号に基づいて、スイッチの状態を判別する処理を行うものである。
【００２２】
次に、本実施形態のワイヤレスリモートコントローラ及びワイヤレスリモートコントロールシステムにおけるリモートコントロール方法について、図３及び図４を参照して説明する。
【００２３】
まず、スイッチ部７の全スイッチが操作されていない状態で、図３に示すように、親機アンテナ部１８からバースト信号が送信されると、そのバースト信号が子機アンテナ部２によって受信される。そして、受信された信号は、整合回路３を介してバスバー１０ａ、１０ｂに伝達され、メインＩＤＴ１１と標識ＩＤＴ１２とによってＳＡＷデバイス６の表面にＳＡＷが生成され、対向的にＳＡＷデバイス６上を伝播する。この２つのＳＡＷは標識ＩＤＴ１２及びメインＩＤＴ１１によって電気信号に変換され、子機アンテナ部２から返信される。この結果、受信回路２１において図３（ｂ）に示す信号が得られる。メインＩＤＴ１１と標識ＩＤＴ１２とが一定の距離だけ離間して配されているため、ワイヤレスリモートコントローラ１の応答信号は空間等からの反射電波信号、メインＩＤＴ１１と標識ＩＤＴ１２との間を伝播したＳＡＷによる応答信号の順に時間軸上で受信される。
【００２４】
次に、スイッチ部７中のあるスイッチが操作された状態を考える。スイッチ部７の中の、例えばスイッチＳ１１がオンになったとき、行配線８ａと、列配線９ａとがスイッチＳ１１を介して接続され、ＩＤＴグループＡ中のＩＤＴａ１２とＩＤＴグループＢ中のＩＤＴｂ１１とが接続される。よって、ＩＤＴａ１２は、行配線８ａと列配線９ａとＩＤＴｂ１１とを介してＩＤＴｂ１２と一対の櫛歯電極を形成する。すなわち、ＩＤＴａ１１とＩＤＴｂ１２とは、直列接続されてコンデンサ的な機能を果たすＩＤＴａ１２とＩＤＴｂ１１とにより、バスバー１０ａ、１０ｂに接続される。
【００２５】
ここで、親機アンテナ部１８からバースト信号が送信されると、上述と同様にＳＡＷが生成され、ＳＡＷデバイス３上を伝播し、メインＩＤＴ１１と標識ＩＤＴ１２とＩＤＴａ１とＩＤＴｂ１とによって電気信号に変換され、子機アンテナ部２から返信される。
【００２６】
この結果、受信回路２１において図３（ｃ）に示す信号が得られる。メインＩＤＴ１１からの距離が、ＩＤＴグループＡ中のＩＤＴａ１、標識ＩＤＴ１２、ＩＤＴグループＢ中のＩＤＴｂ１の順に長く設定されているため、ワイヤレスリモートコントローラ１の応答信号は空間等からの反射電波信号、ＩＤＴａ１からの応答信号、標識ＩＤＴ１２からの応答信号、ＩＤＴｂ１からの応答信号の順に時間軸上で受信される。また、各ＩＤＴの対数を調整することによって返信された信号の強度と幅とを変えることができ、各信号を区別することができる。
【００２７】
次に、スイッチＳ２２がオンになった状態で、親機アンテナ部１８からバースト信号が送信されたときを考える。スイッチＳ２２がオンになったとき、上述と同様にＩＤＴグループＡ中のＩＤＴａ２２とＩＤＴグループＢ中のＩＤＴｂ２１とがスイッチＳ２２を介して接続される。ここで、上述と同様の動作順序によって子機アンテナ部２から応答信号が返信される。この結果、受信回路２１において図３（ｄ）に示す信号が得られる。ＩＤＴグループＡ中のＩＤＴａ２は、ＩＤＴａ１よりもメインＩＤＴ１１に対して遠いところに配されているため、ＩＤＴａ２からの応答信号はＩＤＴａ１からの応答信号よりも時間軸上で遅れて送信される。また、ＩＤＴグループＢ中のＩＤＴｂ２は、ＩＤＴｂ１よりもメインＩＤＴ１１に対して遠いところに配されているため、ＩＤＴｂ２からの応答信号はＩＤＴｂ１からの応答信号よりも時間軸上で遅れて送信される。
【００２８】
親機１７は、子機アンテナ部２から返信された電波を親機アンテナ部１８より受信し、インピーダンスマッチングを行うための整合回路１９を介してＲＦスイッチ部２０によって切り替えられた高周波を復調し、さらに演算回路２２によってスイッチ部７中のどのスイッチがオンになったかが判別される。そして、演算回路２２は判別されたスイッチに割り当てられた機能や命令に基づいて装置本体を制御する。
【００２９】
親機１７は、基本的にはワイヤレスリモートコントローラ１の単一でのスイッチのオン状態を識別するが、スイッチ部７中のスイッチＳ１１とスイッチＳ２２とが同時にオンになった状態で親機１７のアンテナ部３からバースト信号が送信された場合を考える。このとき、スイッチがオンになる時間にわずかなずれがあり、スイッチＳ１１が先にオンになり、Ｓ１１がオン状態のまま続いてスイッチＳ１１とスイッチＳ２２とがオンになったとする。このときの親機１７の送信信号及びワイヤレスリモートコントローラ１の応答信号を図４に示す。スイッチＳ１１がオンになったとき、上述と同様の動作順序によって子機アンテナ部２から応答信号が送信される。この結果、受信回路２１において図４（ｂ）に示す信号が得られる。続いてスイッチＳ１１とスイッチＳ２２とがオンになったとき、上述と同様の動作順序によって受信回路２１において図４（ｃ）に示す信号が得られる。このとき応答信号が複合的であるため、オンになったスイッチの識別ができなくなる。
【００３０】
そこで、スイッチがオンになる時間のずれによって先に押されたスイッチＳ１１を記憶し、複合信号から先にオンになったスイッチＳ１１の応答信号を取り除くことによって、後にオンになったスイッチＳ２２を識別するように演算回路２２で信号処理を行う。
したがって、同時に複合的な信号応答が発生しても、通常の場合において時間差があるので、上記の方法によって識別できる。
【００３１】
上記の方法によって識別できないような短時間差で複数のキーが押された場合は、受信した信号を演算回路２２はエラーとして判断し、制御信号を出力しないことによって装置の誤作動を防止する。
【００３２】
メインＩＤＴ１１の対数は、他のＩＤＴの対数より多くとることによって応答信号パルスを強くすることができる。また、メインＩＤＴ１１と他のＩＤＴとの間の距離を、ＩＤＴグループＡの左端とＩＤＴグループＢの右端の距離より長くすることによって応答信号と不要信号とを時間で分離することができる。
【００３３】
このように本実施形態のワイヤレスリモートコントローラ及びワイヤレスリモートコントロールシステムでは、個別スイッチの数と同数の櫛形電極を設けなくても、ＩＤＴグループＡを行とし、ＩＤＴグループＢを列とした２つのグループに応じた行列状に配列された個別スイッチの数だけ、異なる識別可能な応答信号を無給電で発信することができる。
また、一対の櫛形電極５ａ、５ｂが、ＩＤＴグループＡとＩＤＴグループＢとの間にバスバー１０ａ、１０ｂに接続された標識ＩＤＴ１２を備えているので、標識ＩＤＴ１２における応答信号を基準にして、選択されたＩＤＴグループＡ及びＩＤＴグループＢにおける２つの応答信号の発生時間をより正確に識別することが可能になる。
【００３４】
また、本実施形態のワイヤレスリモートコントローラによれば、ワイヤレスリモートコントローラ１に電池を使用しないので環境にやさしく、また、電池端子による接触不良もなくなり、さらに電池の液漏れによる故障もなくなる利点がある。
また、電波を利用するので、親機１７とワイヤレスリモートコントローラ１との間に障害物がある場合でも送受信でき、また、微弱電波を利用することで、通信距離を制限し混信を防ぐことができる。また、建築物の壁によって減衰されることにより隣の同種類の機器の混信も防ぐことができる。
【００３５】
なお、本発明の技術範囲は上記実施の形態に限定されるものではなく、本発明の趣旨を逸脱しない範囲において種々の変更を加えることが可能である。
例えば、上記実施形態ではＩＤＴグループＡとＩＤＴグループＢのＩＤＴとの数が共に３個である場合を例としているが、ＩＤＴの数を増やすことにより接続できるスイッチの数を増やすことができる。例えばＩＤＴグループの数がＡとＢとにおいてそれぞれ１０個の場合、接続されるスイッチの数は１００個となる。また、子機アンテナ部２は、ＰＣＢをグラウンドとするモノポールとしてもよい。
【００３６】
【発明の効果】
本発明のワイヤレスリモートコントローラによれば、スイッチの数と同数のＩＤＴを設けなくても感知できるスイッチの数を従来技術より大幅に増やすことができる。したがって、ＳＡＷの減衰を抑えることができ、スイッチの数を増加させて、無給電で多数の機能を制御することができる。
【００３７】
本発明のワイヤレスリモートコントロールシステムによれば、上記本発明のワイヤレスリモートコントローラの応答信号を送受信可能な親機を備えているので、無給電のワイヤレスリモートコントローラで任意に個別スイッチを選択するだけで、多数のスイッチから選択された個別スイッチを親機側で容易に識別することができ、多数の機能制御が要求される多様な装置に適用することが可能となる。
【図面の簡単な説明】
【図１】本発明の一実施形態によるワイヤレスリモートコントローラにおいて回路構成を含む、全体構成図である。
【図２】本発明の一実施形態によるワイヤレスリモートコントロールシステムを示すシステムブロック図である。
【図３】本発明の一実施形態によるワイヤレスリモートコントローラにおいて、単一スイッチがオンされた場合の時間に対する各信号強度を示すグラフである。
【図４】本発明の一実施形態によるワイヤレスリモートコントローラにおいて、２つのスイッチがオンされた場合の時間に対する各信号強度を示すグラフである。
【符号の説明】
１：ワイヤレスリモートコントローラ  ２：子機アンテナ部  ３：整合回路  ４：圧電基板  ５ａ、５ｂ：櫛形電極  ６：表面弾性波デバイス  ７：スイッチ部８ａ、８ｂ、８ｃ：行配線  ９ａ、９ｂ、９ｃ：列配線  １０ａ、１０ｂ：バスバー  １１：メインＩＤＴ（主櫛歯群）  １２：標識ＩＤＴ（標識櫛歯）  １３：第１バスバー側櫛歯  １４：行配線側櫛歯  １５：第２バスバー側櫛歯  １６：列配線側櫛歯  １７：親機  Ａ：ＩＤＴグループＡ（第１の櫛歯群）  Ｂ：ＩＤＴグループＢ（第２の櫛歯群）
【図１】
2004328056.tif 000003
【図２】
2004328056.tif 000004
【図３】
2004328056.tif 000005
【図４】
2004328056.tif 000006